(57)【要約】【解決手段】硝化槽２内に汚水流入槽１を設け、硝化槽２外の汚水発生源４から汚水流入槽１に流入汚水を供給する汚水流入路５を設けるとともに、汚水流入槽１内で滞留した滞留汚水を汚水流入槽１内から硝化槽２内に供給する汚水流出路６を設けた。硝化槽２内の硝化汚泥を硝化槽２内または汚水流入槽１内に戻す循環路８を設けた。硝化槽２内の硝化汚泥を固液分離槽３内に供給する硝化汚泥流出路１０を設け、固液分離槽３内の沈澱汚泥を硝化槽２内または汚水流入槽１内に戻す循環路１１を設けた。汚水処理装置Ｐにおける硝化槽２内の硝化汚泥を排出する硝化汚泥排出路１２と、汚水処理装置Ｐにおける汚水発生源４とは別の汚水発生源１４からの流入汚水が通る汚水通路１５とを備え、汚水通路１５に硝化汚泥排出路１２を接続した。【効果】汚水流入槽１から発生する悪臭を硝化槽２外に排出することを防止する。硝化槽２内で発生する硝化汚泥を減量する。【選択図】図１
2004243214.tif 000002
【特許請求の範囲】
【請求項１】
硝化槽内に汚水流入槽を設け、この硝化槽外の汚水発生源からこの汚水流入槽に流入汚水を供給する汚水流入路を設けるとともに、この汚水流入槽内で滞留した滞留汚水を汚水流入槽内からこの硝化槽内に供給する汚水流出路を設けたことを特徴とする汚水処理装置。
【請求項２】
前記硝化槽内で処理された硝化汚泥をこの硝化槽内から硝化槽内または汚水流入槽内に戻す循環路を設けたことを特徴とする請求項１に記載の汚水処理装置。
【請求項３】
固液分離槽を備え、前記硝化槽内で処理された硝化汚泥をこの硝化槽内からこの固液分離槽内に供給する硝化汚泥流出路を設け、この固液分離槽内で処理された沈澱汚泥を固液分離槽内から硝化槽内または前記汚水流入槽内に戻す循環路を設けたことを特徴とする請求項１に記載の汚水処理装置。
【請求項４】
請求項１または請求項２または請求項３に記載の汚水処理装置における硝化槽内で処理された硝化汚泥を排出する硝化汚泥排出路と、請求項１または請求項２または請求項３に記載の汚水処理装置における汚水発生源とは別の汚水発生源からの流入汚水が通る汚水通路とを備え、この汚水通路に前記硝化汚泥排出路を接続したことを特徴とする汚水処理装置。
【発明の詳細な説明】
【０００１】
【発明の属する技術分野】
本発明は例えば家庭内の便所や台所や風呂や洗濯機などの汚水発生源から出る汚水を簡易的に処理して悪臭や汚泥の発生を防止する汚水処理装置に関するものである。
【０００２】
【従来の技術】
特願２００２−１１６４０７号にかかる汚水処理装置においては、流入汚水が滞留する嫌気処理部（汚水流入槽）が硝化処理部（硝化槽）の外側に設置されている。
【０００３】
【発明が解決しようとする課題】
そのため、嫌気処理部（汚水流入槽）から発生する悪臭が外気に排出されるおそれがあった。
【０００４】
この発明は汚水流入槽から排出される悪臭を防止することを目的としている。
【０００５】
【課題を解決するための手段及び発明の効果】
後記実施形態の図面の符号を援用して本発明を説明する。
＊  請求項１の発明
この発明にかかる汚水処理装置は、図１（ａ）に示すように、下記のように構成されている。
【０００６】
硝化槽（２）内に汚水流入槽（１）を設けている。この硝化槽（２）外からこの汚水流入槽（１）に流入汚水を供給する汚水流入路（５）を設けるとともに、この汚水流入槽（１）内で滞留した滞留汚水を汚水流入槽（１）内からこの硝化槽（２）内に供給する汚水流出路（６）を設けている。
【０００７】
この発明では、汚水流入槽（１）が硝化槽（２）内の硝化汚泥に囲まれるので、汚水流入槽（１）から発生する悪臭を硝化槽（２）外に排出することを防止することができる。また、流入汚水が硝化槽（２）内に供給される前に汚水流入槽（１）内で滞留するので、硝化槽（２）内で発生する硝化汚泥を減量することができる。
【０００８】
＊  請求項２の発明
この発明は、図１（ａ）に示すように、請求項１の発明を前提として下記のように構成されている。
【０００９】
前記硝化槽（２）内で処理された硝化汚泥をこの硝化槽（２）内から硝化槽（２）内または汚水流入槽（１）内に戻す循環路（８）を設けている。この発明では、硝化汚泥を循環させているので、硝化槽（２）内で発生する硝化汚泥を減量することができる。
【００１０】
＊  請求項３の発明
この発明は、図１（ａ）に示すように、請求項１の発明を前提として下記のように構成されている。
【００１１】
固液分離槽（３）を備えている。前記硝化槽（２）内で処理された硝化汚泥をこの硝化槽（２）内からこの固液分離槽（３）内に供給する硝化汚泥流出路（１０）を設けている。この固液分離槽（３）内で処理された沈澱汚泥を固液分離槽（３）内から硝化槽（２）内または前記汚水流入槽（１）内に戻す循環路（１１）を設けている。この発明では、硝化汚泥を固液分離槽（３）により濃縮した沈澱汚泥を循環させているので、硝化槽（２）内で発生する硝化汚泥を減量することができる。
【００１２】
＊  請求項４の発明
この発明にかかる汚水処理装置は、図１（ｂ）に示すように、下記のように構成されている。
【００１３】
請求項１または請求項２または請求項３に記載の汚水処理装置（Ｐ）における硝化槽（２）内で処理された硝化汚泥を排出する硝化汚泥排出路（１２）と、請求項１または請求項２または請求項３に記載の汚水処理装置（Ｐ）における汚水発生源（４）とは別の汚水発生源（１４）からの流入汚水が通る汚水通路（１５）とを備え、この汚水通路（１５）に前記硝化汚泥排出路（１２）を接続した。
【００１４】
この発明では、硝化槽（２）内で処理された硝化汚泥を有効に利用して、別の汚水発生源（１４）からの流入汚水を浄化することができる。
＊  第５の発明（請求項２の発明と請求項３の発明との組み合わせ）
この発明は、請求項１の発明を前提として下記のように構成されている。
【００１５】
前記硝化槽（２）内で処理された硝化汚泥をこの硝化槽（２）内から硝化槽（）内または汚水流入槽（１）内に戻す循環路（８）を設けている。前記硝化槽（）内で処理された硝化汚泥をこの硝化槽（２）内から固液分離槽（３）内に供給する硝化汚泥流出路（１０）を設けている。この固液分離槽（３）内で処理された沈澱汚泥を固液分離槽（３）内から硝化槽（２）内または前記汚水流入槽（１）内に戻す循環路（１１）を設けている。
【００１６】
【発明の実施の形態】
まず、本発明の第一実施形態にかかる汚水処理装置について図１（ａ）を参照して説明する。
【００１７】
この汚水処理装置Ｐは汚水流入槽１と硝化槽２と固液分離槽３とを備えている。この汚水流入槽１は、この硝化槽２内でその底部２ａから上方へ浮かせて略中央部に設置され、硝化槽２内の硝化汚泥が一定以上の高さにある場合この硝化汚泥に浸されて囲まれている。なお、この硝化槽２内で汚水流入槽１を任意の位置に配置してもよい。この硝化槽２の外側にある汚水発生源４は例えば家庭内の便所や台所や風呂や洗濯機などである。これらの汚水発生源４ごとに前記汚水流入槽１を前記硝化槽２内に設置する。この汚水発生源４からの流入汚水は汚水流入路５を通って汚水流入槽１に供給される。この汚水流入槽１内で滞留した滞留汚水は汚水流出路６を通って汚水流入槽１内から硝化槽２内に供給される。この硝化槽２内で処理された硝化汚泥は、ポンプ７により、この硝化槽２内から循環路８を通って硝化槽２内に戻されるが、この硝化汚泥を汚水流入槽１内に戻してもよい。この硝化槽２内を強制攪拌したり硝化槽２内にエアを供給したりしてもよい。また、硝化槽２内で処理された硝化汚泥は、必要に応じて、循環路８で分配部９により分配され、硝化汚泥流出路１０を通って固液分離槽３内に供給される。この固液分離槽３内では硝化汚泥が処理されて沈澱汚泥と分離水とに分けられる。この沈澱汚泥は、固液分離槽３内から循環路１１を通って硝化槽２内に戻されるが、この硝化汚泥を汚水流入槽１内に戻してもよい。この硝化槽２内で処理された硝化汚泥は、必要に応じて、硝化汚泥排出路１２を通して非常用排出バルブ１３（排出量調節手段）から排出される。
【００１８】
汚水発生源４から流入汚水が供給された汚水流入槽１内では、流入汚水が滞留し、その滞留中に、酸素が少なくなる嫌気処理により、滞留汚水からガスが排出されるとともに、滞留汚水が可溶化されて減量される。
【００１９】
汚水流入槽１から滞留汚水が供給された硝化槽２内では、微量溶存酸素中で行われる硝化により硝化汚泥が活性化され、硝化汚泥からの悪臭の発生を防止するとともに、硝化汚泥が減量される。その場合、硝化槽２内で汚水流入槽１の周りを回る流れを生じ易くしたり、循環路８，１１で硝化汚泥を循環させたり、その循環時に固液分離槽３の下流側にある循環路１１や汚水流入槽１で嫌気処理を再び行ったりして、活性化を助長する。
【００２０】
次に、本発明の第二実施形態にかかる汚水処理装置について図１（ｂ）を参照して説明する。
前記汚水処理装置Ｐにおける汚水発生源４（例えば便所４Ａや台所４Ｂ）とは別の汚水発生源１４（例えば風呂や洗濯機）からの流入汚水が通る汚水通路１５を備えている。ちなみに、生物酸素要求量（ＢＯＤ）については、汚水発生源１４からの流入汚水が汚水発生源４からの流入汚水よりも小さい。この汚水通路１５にはその上流側から下流側へ滞留槽１６，１７，１８が順次並べて配設されている。汚水発生源１４からの流入汚水は滞留槽１６に至る。滞留槽１６からの流入汚水は滞留槽１７に至る。滞留槽１７からの流入汚水は滞留槽１８に至る。流入汚水は滞留槽１８から排出される。前記汚水処理装置Ｐにおける汚水発生源４（例えば便所４Ａ）からの流入汚水が処理されて硝化汚泥が排出される硝化汚泥排出路１２は、前記滞留槽１７に接続されている。この滞留槽１７で汚水通路１５の流入汚水が硝化汚泥により浄化される。前記汚水処理装置Ｐにおける汚水発生源４（例えば台所４Ｂ）からの流入汚水が処理されて硝化汚泥が排出される硝化汚泥排出路１２は、前記滞留槽１８に接続されている。この滞留槽１８でも汚水通路１５の流入汚水が硝化汚泥により浄化される。
【図面の簡単な説明】
【図１】（ａ）は第一実施形態に係る汚水処理装置を示す概略システム図であり、（ｂ）は第二実施形態に係る汚水処理装置を示す概略システム図である。
【符号の説明】
Ｐ…汚水処理装置、１…汚水流入槽、２…硝化槽、３…固液分離槽、４…汚水発生源、５…汚水流入路、６…汚水流出路、８…循環路、１０…硝化汚泥流出路、１１…循環路、１２…硝化汚泥排出路、１４…汚水発生源、１５…汚水通路。
【図１】
2004243214.tif 000003